(57)【要約】【課題】工具を使用することなく、腕時計本体の胴に対して簡単に着脱することのできる腕時計バンドを提供する。【解決手段】バンド本体３２の端部に一端側が取り付けられ、腕時計本体１１の胴１２に設けた挿入穴１３内へ挿入される挿入部３７が他端側に設けられたエンドピース３４と、クリップ部４３とウイング部４４とからなり、エンドピース３４にばね棒３３で回動可能に支持され、挿入部３７を挿入穴１３内へ挿入した状態で、クリップ部４３が挿入部３７とで胴１２に設けた被把持部１７を把持可能なクリップ片４２と、クリップ部４３が挿入部３７とで被把持部１７を把持するようにクリップ片４２を付勢し、ウイング部４４を押圧すると、クリップ部４３の被把持部１７の把持を解除可能なトーションスプリング４６とを備える。【選択図】　　図５
2004121454.tif 000002
【特許請求の範囲】
【請求項１】
バンド本体の端部に一端側が取り付けられ、腕時計本体の胴に設けた挿入穴内へ挿入される挿入部が他端側に設けられたエンドピースと、
クリップ部とウイング部とからなり、前記エンドピースに支持ピンで回動可能に支持され、前記挿入部を前記挿入穴内へ挿入した状態で、前記クリップ部が前記挿入部とで前記胴に設けた被把持部を把持可能なクリップ片と、
前記クリップ部が前記挿入部とで前記被把持部を把持するように前記クリップ片を付勢し、前記ウイング部を押圧すると、前記クリップ部の前記被把持部の把持を解除可能な付勢部材と、
を備えた腕時計バンド。
【請求項２】
請求項１に記載の腕時計バンドにおいて、
前記エンドピースの他端側の、前記挿入部の左右の少なくとも一方に、前記挿入穴の左右の少なくとも一方に前記挿入穴と所定間隔を空けて前記胴に設けた案内穴内へ挿入される、被案内部を設けた、
ことを特徴とする腕時計バンド。
【請求項３】
請求項１または請求項２に記載の腕時計バンドにおいて、
前記エンドピースの下側に前記クリップ片を回動可能に支持する下側へ開放した凹部を設け、
前記クリップ部と前記挿入部とで前記被把持部を把持している状態における前記ウイング部が、前記凹部内にはみ出ないで位置する、
ことを特徴とする腕時計バンド。
【発明の詳細な説明】
【０００１】
【発明の属する技術分野】
この発明は、腕時計を腕に装着するための腕時計バンドに関するものである。
【０００２】
【従来の技術】
腕時計は、通常、腕時計本体と、この腕時計本体にばね棒で取り付けられた腕時計バンドとで構成されている。
そして、腕時計バンドを腕時計本体に取り付けるためのばね棒は、筒部と、この筒部内に収容されたスプリングと、筒部内に収容された大径部がスプリングで付勢されることによって小径部が筒部の両端から突出する２つのピンとで構成されている。
【０００３】
このばね棒を使用して腕時計本体に腕時計バンドを取り付ける場合、腕時計バンドの端に挿通させたばね棒の両ピンをスプリングの付勢力に抗して筒部内へ後退させた状態で、腕時計本体の胴に対向させて設けた支持部の間へ腕時計バンドの端およびばね棒を挿入し、スプリングで付勢される各ピンの小径部を支持部に対向させて設けた取付孔（穴）内へ挿入させることにより、腕時計バンドを腕時計本体に取り付けることができる（例えば、特許文献１参照。）。
【０００４】
【特許文献１】
特開平８−１１２１１５号公報（段落〔００１３〕、図２）
【０００５】
【発明が解決しようとする課題】
上述したように、従来の腕時計は、ばね棒を構成する両ピンの小径部を取付孔内へ挿入させて腕時計バンドを腕時計本体に取り付けているので、腕時計バンドを交換する場合、工具を使用して両ピンを筒部内へスプリングの付勢力に抗して後退させなければ、腕時計バンドを腕時計本体から取り外すことができない。
したがって、腕時計バンドを腕時計本体から取り外す場合、工具が必要になるとともに、腕時計バンドを取り外す作業が面倒な作業となっていた。
【０００６】
この発明は、上記したような不都合を解消するためになされたもので、工具を使用することなく、腕時計本体の胴に対して簡単に着脱することのできる腕時計バンドを提供するものである。
【０００７】
【課題を解決するための手段】
この発明の腕時計バンドは、バンド本体の端部に一端側が取り付けられ、腕時計本体の胴に設けた挿入穴内へ挿入される挿入部が他端側に設けられたエンドピースと、クリップ部とウイング部とからなり、エンドピースに支持ピンで回動可能に支持され、挿入部を挿入穴内へ挿入した状態で、クリップ部が挿入部とで胴に設けた被把持部を把持可能なクリップ片と、クリップ部が挿入部とで被把持部を把持するようにクリップを付勢し、ウイング部を押圧すると、クリップ部の被把持部の把持を解除可能な付勢部材とを備えるものである。
そして、エンドピースの他端側の、挿入部の左右の少なくとも一方に、挿入穴の左右の少なくとも一方に挿入穴と所定間隔を空けて胴に設けた案内穴内へ挿入される、被案内部を設けたり、さらに、エンドピースの下側にクリップ片を回動可能に支持する下側へ開放した凹部を設け、クリップ部と挿入部とで被把持部を把持している状態におけるウイング部が、凹部内にはみ出ないで位置するのが望ましい。
【０００８】
【発明の実施の形態】
以下、この発明の実施形態を図面に基づいて説明する。
図１はこの発明の第１実施形態である腕時計バンドの一端を腕時計本体に取り付ける前の腕時計の平面図、図２は図１に示した腕時計を竜頭側から見た側面図、図３は図１に示した腕時計の一部を破断した底面図、図４は図１の腕時計本体を右側から見た側面図、図５は図１のＡ−Ａ線による拡大断面図である。
【０００９】
図１において、腕時計Ｗは、腕時計本体１１と、この腕時計本体１１の胴１２に取り付けられる腕時計バンド３１とで構成されている。
【００１０】
上記した腕時計本体１１は、図１または図２に示すように、胴１２と、この胴１２の上側に取り付けられたガラス１８と、胴１２の下側に取り付けられた蓋１９と、胴１２内に収容されたムーブメント（図示省略）と、胴１２に取り付けられた竜頭２０とで構成されている。
【００１１】
そして、胴１２には、図１または図４に示すように、開放面の形状が矩形の挿入穴１３と、この挿入穴１３の左右に、挿入穴１３と所定間隔、例えば後述するガイドピン１５の太さを空けて位置する、開放面の形状が矩形の案内穴１４とが、竜頭２０の設けられていない対向する一対の面にそれぞれ設けられるとともに、後述するクリップ片４２の一部が挿入される、胴１２の裏面側（下側）から挿入穴１３に連通する固定穴１６が胴１２の裏側に設けられている。
なお、挿入穴１３と、２つの案内穴１４とは、胴１２に設けた開放面の形状が矩形をした１つの矩形穴と、この矩形穴を挿入穴１３と案内穴１４とに区画するように、胴１２の裏面側から矩形穴を貫通させて設けた嵌合穴内に嵌合させた区画部としてのガイドピン１５とによって形成されている。
また、固定穴１６を挿入穴１３に連通させることにより、断面が矩形で、端面に平行する被把持部１７が形成される。
【００１２】
上記した腕時計バンド３１は、図１ないし図３に示すように、バンド本体３２と、このバンド本体３２の端部に一端側が取付ピンとしてのばね棒３３で取り付けられるエンドピース３４と、このエンドピース３４に支持ピンとしてのばね棒４１で回動可能に取り付けられるクリップ片４２と、このクリップ片４２を、そのクリップ部４３とエンドピース３４の挿入部３７とで被把持部１７を把持すように付勢する付勢部材としてのトーションスプリング４６とで構成されている。そして、バンド本体３２の端には、図示を省略されているが、ばね棒３３のピンが嵌合する取付孔が対向させて設けられている。
【００１３】
上記したエンドピース３４には、図１ないし図３に示すように、一端側に、ばね棒３３が挿通される取付孔３６を有する取付部３５が突出させて設けられ、他端側に、断面が矩形で挿入穴１３内へ挿入される挿入部３７と、断面が矩形で、ガイドピン１５の太さを空けて挿入部３７の左右に位置する、案内穴１４内に挿入される被案内部３８とが設けられ、下側に、ばね棒４１でクリップ片４２を回動可能に支持する下側へ開放した凹部３９が設けられている。
なお、凹部３９を形成する対向した壁部には、ばね棒４１のピンが嵌合する取付孔４０が対向させて設けられている。
そして、挿入部３７の突出長は左右の被案内部３８の突出長よりも長く、挿入部３７の先端部の左右は先端に向かって窄む傾斜面に形成されてガイド面が設けられている。
【００１４】
上記したクリップ片４２は、図５に示すように、先端が上側へ直角に曲がったＬ字状のクリップ部４３と、このクリップ部４３の先端が曲がった方向と反対側、すなわち下側へ僅かに傾斜してクリップ部４３の後端に連なるウイング部４４とで構成され、クリップ部４３とウイング部４４との境目部分にばね棒４１を挿通する取付孔４５が設けられている。
【００１５】
上記したばね棒３３，４１は、前述したように、筒部と、この筒部内に収容されたスプリングと、筒部内に収容された大径部がスプリングで付勢されることによって小径部が筒部の両端から突出する２つのピンとで構成されている。
【００１６】
次に、エンドピース３４へのクリップ片４２およびトーションスプリング４６の取付について説明する。
まず、クリップ片４２の取付孔４５内へばね棒４１を挿通するとともに、トーションスプリング４６のコイル部分にばね棒４１を挿通し、トーションスプリング４６の一端をウイング部４４の上側（エンドピース３４に設けた凹部３９の天井と対向する面側）に係止させる。
【００１７】
そして、ばね棒４１の両ピンをスプリングの付勢力に抗して筒部内へ後退させた状態で、トーションスプリング４６の他端を凹部３９の天井へ押圧させながら凹部３９内へクリップ片４２を挿入し、スプリングで付勢される各ピンの小径部を、凹部３９を形成する壁に設けた取付孔４０内へ挿入させることにより、図２の右側、図３の右側、および図５の右側に示すように、エンドピース３４にクリップ片４２およびトーションスプリング４６をばね棒４１で取り付けることができる。
【００１８】
このようにエンドピース３４にクリップ片４２およびトーションスプリング４６をばね棒４１で取り付けると、クリップ片４２は、ばね棒４１で回動可能に支持され、クリップ部４３の先端が挿入部３７に衝合するようにトーションスプリング４６によって付勢される。
そして、後述するように、挿入部３７とクリップ部４３とで胴１２の被把持部１７を把持している状態におけるウイング部４４は、図２および図５に示すように、凹部３９内に位置し、凹部３９からはみ出ない。
【００１９】
次に、エンドピース３４のバンド本体３２への取付について説明する。
まず、取付部３５の取付孔３６内へばね棒３３を挿通する。
そして、ばね棒３３の両ピンをスプリングの付勢力に抗して筒部内へ後退させた状態で、スプリングで付勢される各ピンの小径部をバンド本体３２の端に設けた取付孔内へ挿入させることにより、図１ないし図３の左側、および図５の左側に示すように、エンドピース３４をバンド本体３２にばね棒３３で取り付けることができる。
【００２０】
次に、腕時計バンド３１の腕時計本体１１に対する着脱について説明する。
まず、図５の右側に示すように、トーションスプリング４６の付勢力でクリップ部４３の先端が挿入部３７に衝合している状態で、ウイング部４４を押圧してクリップ片４２をトーションスプリング４６の付勢力に抗して、二点鎖線で示すように、反時計方向へ回動させる。
このようにクリップ片４２を反時計方向へ回動させると、クリップ部４３の先端が挿入部３７から離れ、挿入部３７とクリップ部４３との間へ被把持部１７を挿入可能な状態になる。
【００２１】
この状態で、挿入部３７を挿入穴１３内へガイド面を利用して挿入しながら挿入部３７とクリップ部４３との間へ被把持部１７を挿入し、さらに、各被案内部３８を各案内穴１４内へ挿入するとともに、エンドピース３４の他端側を胴１２に当接させ、ウイング部４４の押圧力を解除すると、クリップ片４２はトーションスプリング４６の付勢力によって時計方向へ回動し、クリップ部４３の先端が固定穴１６内へ入って挿入部３７に衝合し、図５の左側に示すように、挿入部３７とクリップ部４４とで被把持部１７を把持した状態となり、腕時計バンド３１の端の一方を腕時計本体１１に取り付けることができる。
なお、腕時計バンド３１の端の他方も、同様にして腕時計本体１１へ取り付けることができる。
【００２２】
そして、腕時計バンド３１を腕時計本体１１から取り外す場合は、図５の左側に示すように、凹部３９内にウイング部４４が位置している状態で、ウイング部４４を押圧してクリップ片４２をトーションスプリング４６の付勢力に抗して時計方向へ回動させ、挿入部３７とクリップ部４３との間を、被把持部１７が通過可能な状態にする。
この状態で、腕時計本体１１と腕時計バンド３１とを引き離すと、図５の右側に示すように、腕時計バンド３１の端の一方を腕時計本体１１から取り外すことができる。
なお、腕時計バンド３１の端の他方も、同様にして腕時計本体１１から取り外すことができる。
【００２３】
上述したように、この発明の一実施形態によれば、エンドピース３４に設けた挿入部３７と、トーションスプリング４６で付勢されたクリップ片４２のクリップ部４３とで胴１２に設けた被把持部１７を把持する構成にしたので、トーションスプリング４６の付勢力に抗してクリップ片４２を回動させ、挿入部３７とクリップ部４３との間隔を拡げることにより、工具を使用することなく、腕時計本体１１の胴１２に対して腕時計バンド３１を簡単に着脱することができる。
そして、挿入部３７の先端部を先端側へ窄ませてガイド面を設けたので、挿入部３７の挿入穴１３内への挿入がし易くなる。
【００２４】
また、エンドピース３４の他端側の挿入部３７の左右に、挿入穴１３と所定間隔を空けて胴１２に設けた案内穴１４内へ挿入される被案内部３８を設けたので、挿入部３７を挿入穴１３内へ挿入し、被案内部３８を案内穴１４内へ挿入すると、挿入部３７と被案内部３８とでガイドピン１５を保持した状態になり、胴１２にエンドピース３４をがたつかないように取り付けることができる。
さらに、エンドピース３４の下側にクリップ片４２を回動可能に支持する下側へ開放した凹部３９を設け、挿入部３７とクリップ部４３とで被把持部１７を把持している状態におけるウイング部４４を、はみ出ないように凹部３９内に位置させたので、腕時計Ｗを腕に装着した状態でウイング部４４が腕で押されることがなく、不用意に腕時計Ｗが腕から外れることがなくなる。
また、腕時計Ｗを腕に装着した状態でクリップ部４３が腕に当たって開かなくなるので、不用意に腕時計Ｗが腕から外れることがさらになくなる。
【００２５】
上記した実施形態では、胴１２に設ける挿入穴１３と案内穴１４とを、１つの矩形穴をガイドピン１５で区画して形成した例を示したが、挿入穴１３と案内穴１４とをそれぞれ単独で設けてもよい。
また、挿入穴１３と固定穴１６とを連通させた例を示したが、挿入穴１３と固定穴１６とを非連通に設けてもよい。
さらに、被案内部３８を挿入部３７の左右に設けた例を示したが、被案内部３８を挿入部３７の左右の一方に設けても、同様な効果を得ることができる。
【００２６】
【発明の効果】
以上説明したように、この発明によれば、エンドピースに設けた挿入部と、付勢部材で付勢されたクリップ片のクリップ部とで胴に設けた被把持部を把持する構成にしたので、付勢部材の付勢力に抗してクリップ片を回動させ、挿入部とクリップ部との間隔を拡げることにより、工具を使用することなく、腕時計本体の胴に対して腕時計バンドを簡単に着脱することができる。
また、エンドピースの他端側の、挿入部の左右の少なくとも一方に、挿入穴の左右の少なくとも一方に挿入穴と所定間隔を空けて胴に設けた案内穴内へ挿入される、被案内部を設けたので、挿入部を挿入穴内へ挿入し、被案内部を案内穴内へ挿入すると、挿入部と被案内部とで、挿入穴と案内穴とを区画する区画部を保持する状態になり、胴にエンドピースをがたつかないように取り付けることができる。
【００２７】
さらに、エンドピースの下側にクリップ片を回動可能に支持する下側へ開放した凹部を設け、挿入部とクリップ部とで被把持部を把持している状態におけるウイング部を、はみ出ないように凹部内に位置させたので、腕時計を腕に装着した状態でウイング部が腕で押されることがなく、不用意に腕時計が腕から外れることがなくなる。
【図面の簡単な説明】
【図１】この発明の第１実施形態である腕時計バンドの一端を腕時計本体に取り付ける前の腕時計の平面図である。
【図２】図１に示した腕時計を竜頭側から見た側面図である。
【図３】図１に示した腕時計の一部を破断した底面図である。
【図４】図１の腕時計本体を右側から見た側面図である。
【図５】図１のＡ−Ａ線による拡大断面図である。
【符号の説明】
Ｗ　　腕時計
１１　腕時計本体
１２　胴
１３　挿入穴
１４　案内穴
１５　ガイドピン
１６　固定穴
１７　被把持部
３１　腕時計バンド
３２　バンド本体
３３　棒ばね
３４　エンドピース
３５　取付部
３６　取付孔
３７　挿入部
３８　被案内部
３９　凹部
４０　支持孔
４１　棒ばね
４２　クリップ片
４３　クリップ部
４４　ウイング部
４５　取付孔
４６　トーションスプリング
【図１】
2004121454.tif 000003
【図２】
2004121454.tif 000004
【図３】
2004121454.tif 000005
【図４】
2004121454.tif 000006
【図５】
2004121454.tif 000007